(57)【要約】【課題】送信先に転送要求を何度も行うことなしに適切なタイミングでデータのバックアップを行うことができる通信システム、通信端末、および通信方法を提供する。【解決手段】携帯電話１からバックアップデータを転送しようとするとき、ビデオレコーダ２で拒否又は中断事由があるときは転送が可能となる転送スケジュールを送信元の携帯電話１に通知するので、転送要求のタイミングを知ることができ、携帯電話１は何度も転送要求を行う必要がない。また。ビデオレコーダ２はＨＤＤ２０８への記憶が可能なタイミングでバックアップデータの転送が行われることにより、バックアップデータの転送を効率良く行うことができる。【選択図】        図１
2005244657.tif 000002
【特許請求の範囲】
【請求項１】
外部からデータ転送に関するスケジュールを受信する受信部と、前記スケジュールに基づいてデータを転送する転送部とを有する送信元の通信端末と、
前記転送部から転送された前記データを受信する受信部と、この受信したデータを記憶するデータ記憶部と、前記データ記憶部の状態に基づいて前記スケジュールを設定するスケジュール設定部と、前記スケジュールを前記送信元の通信端末へ送信する通信部とを有する受信側の通信端末とを備えた通信システム。
【請求項２】
前記転送部は、前記送信元の通信端末の充電操作に基づいて前記データの前記転送を行う請求項１記載の通信システム。
【請求項３】
他の通信端末が記憶しているデータのバックアップを実行可能なデータ転送のスケジュールを設定するスケジュール設定部と、
前記スケジュールに基づいて前記データを受信する通信部と、
前記データを記憶する記憶部とを有する通信端末。
【請求項４】
データを記憶する記憶部と、
前記データのバックアップを行う他の通信端末から通知されるデータ転送のスケジュールに基づいて前記他の通信端末に前記データを転送する転送部とを有する通信端末。
【請求項５】
送信元からのデータ転送に関するスケジュールを設定する設定段階と、
前記スケジュールを前記送信元に通知する通知段階と、
前記スケジュールに基づいて前記送信元から前記データの転送を行う転送段階とを有する通信方法。
【請求項６】
送信元から送られてくるデータの転送に関するスケジュールを前記送信元に通知する通知段階と、
前記スケジュールに基づいて前記送信元から転送された前記データを受信する受信段階とを有する通信方法。
【請求項７】
外部へのデータ転送に関するスケジュールを受信する受信段階と、
前記スケジュールに基づいて前記データの前記転送を行う転送段階とを有する通信方法。
【発明の詳細な説明】
【技術分野】
【０００１】
本発明は、デジタルカメラ、携帯電話等の電子機器からなる通信システム、通信端末、および通信方法に関し、特に、拒否あるいは中断された通信を再開するタイミングを知ることのできる通信システム、通信端末、および通信方法に関する。
【背景技術】
【０００２】
近年、電子機器の高性能化、多機能化、小型化が進み、パーソナルコンピュータに限らずデジタルカメラ、携帯電話等の小型の電子機器でも画像データ、音声データ、動画データ等の種々のデータの取り扱いが可能なものが登場している。このような電子機器で取り扱われるデータのサイズは年々増加する傾向にあり、記憶部の更なる大容量化、使用効率向上が検討されている。
【０００３】
また、このような電子機器において、通信機能を搭載し、無線又は有線で他の電子機器と接続してデータの送受信を行うことにより、他の電子機器とのデータの同期化を行うようにした情報通信装置がある（例えば、特許文献１参照。）。
【０００４】
特許文献１に記載された情報通信装置では、パーソナルコンピュータとＰＤＡ（Personal Digital Assistant）との間で利用可能なスケジュールデータを同期化する構成が記載されている。
【０００５】
この情報通信装置は、パーソナルコンピュータがホスト装置からＬＡＮ（Local Area Network）を介して会議開催通知の電子メールを受信した場合、スケジュール管理ソフトはその電子メールからタイトル、日時、及び場所等の必要な情報を抽出してスケジュールデータの変更を行なう。スケジュールデータが変更された状態で、ＰＤＡを保持した使用者が事務所に戻る等によりパーソナルコンピュータに接近し、パーソナルコンピュータの無線通信可能範囲に入ると、ＰＤＡとパーソナルコンピュータとが自動的に無線通信リンクを張り、スケジュールデータの同期化を行なう。
【０００６】
特許文献１は、パーソナルコンピュータとＰＤＡとの間のスケジュールの同期化を実現する情報通信装置を記載しているが、例えば、カメラ付携帯電話が撮影した画像データ（静止画、動画）を、最近実用化され始めたＨＤＤ（Hard Disk Drive）内蔵ビデオレコーダへ転送する画像データ転送方式については記載していない。この画像データ転送方式においては、カメラ付携帯電話を充電器を内蔵した台等に置くことにより電池の消費を気にすることがない状態でカメラ付携帯電話からビデオレコーダのＨＤＤへ画像データを転送することが好ましいと考えられる。
【特許文献１】特開２００２−１９０８４５号公報（[００１４]、図１）
【発明の開示】
【発明が解決しようとする課題】
【０００７】
しかし、上述したカメラ付携帯電話からビデオレコーダのＨＤＤへ画像データを転送する画像データ転送方式によると、ビデオレコーダのＨＤＤが録画、再生等の本来の用途に使用されてＨＤＤが稼動していると、カメラ付携帯電話からの画像データの転送が拒否されるため、その後何度も画像データの転送の要求を行わなければならないという不都合が予想される。
【０００８】
従って、本発明の目的は、送信先に転送要求を何度も行う必要がない通信システム、通信端末、および通信方法を提供することにある。
【課題を解決するための手段】
【０００９】
第１の発明は、上記した目的を達成するため、外部からデータ転送に関するスケジュールを受信する受信部と、前記スケジュールに基づいてデータを転送する転送部とを有する送信元の通信端末と、前記転送部から転送された前記データを受信する受信部と、この受信したデータを記憶するデータ記憶部と、前記データ記憶部の状態に基づいて前記スケジュールを設定するスケジュール設定部と、前記スケジュールを前記送信元の通信端末へ送信する通信部とを有する受信側の通信端末とを備えた通信システムを提供する。
【００１０】
また、第２の発明は、上記した目的を達成するため、他の通信端末が記憶しているデータのバックアップを実行可能なデータ転送のスケジュールを設定するスケジュール設定部と、前記スケジュールに基づいて前記データを受信する通信部と、前記データを記憶する記憶部とを有する通信端末を提供する。
【００１１】
また、第３の発明は、上記した目的を達成するため、データを記憶する記憶部と、前記データのバックアップを行う他の通信端末から通知されるデータ転送のスケジュールに基づいて前記他の通信端末に前記データを転送する転送部とを有する通信端末を提供する。
【００１２】
また、第４の発明は、上記した目的を達成するため、送信元からのデータ転送に関するスケジュールを設定する設定段階と、前記スケジュールを前記送信元に通知する通知段階と、前記スケジュールに基づいて前記送信元から前記データの転送を行う転送段階とを有する通信方法を提供する。
【００１３】
また、第５の発明は、上記した目的を達成するため、送信元から送られてくるデータの転送に関するスケジュールを前記送信元に通知する通知段階と、前記スケジュールに基づいて前記送信元から転送された前記データを受信する受信段階とを有する通信方法を提供する。
【００１４】
また、第６の発明は、上記した目的を達成するため、外部へのデータ転送に関するスケジュールを受信する受信段階と、前記スケジュールに基づいて前記データの前記転送を行う転送段階とを有する通信方法を提供する。
【発明の効果】
【００１５】
本発明によれば、送信先に転送要求を何度も行うことなしに適切なタイミングでデータのバックアップを行うことができる。
【発明を実施するための最良の形態】
【００１６】
以下、本発明の通信システム、通信端末、および通信方法による実施の形態を説明する。この実施の形態に係る通信システムは、カメラ部を有する携帯電話から無線で転送されるデータを内蔵するハードディスク装置に記憶する通信端末としてのビデオレコーダに係るものである。
【００１７】
〔本発明の実施の形態〕
（通信システム全体の構成）
図１は、本発明の実施の形態に係る通信端末を含む通信システムの全体図である。図１では、携帯型端末装置である携帯電話１、録画再生機器であるビデオレコーダ２、および画像再生機器であるテレビ（ＴＶ）３からなるシステムを示している。携帯電話１は、樹脂材料によって形成される本体部１０と、本体部１０の前面に設けられて通話その他の機能に係る文字、画像等の情報を表示する液晶表示部１１と、液晶表示部１１の下方に設けられて数字キー、機能選択キー等の複数のキー１２Ａからなるキー操作部１２と、液晶表示部１１の上方に設けられてキー操作部１２の操作に基づいて撮像するカメラ部１３と、本体部１０に伸縮自在に取り付けられて無線通話時の電波を送受信するアンテナ１４とを有する。
【００１８】
図１において、携帯電話１は、内蔵する電池を充電するために充電器１５にセットされている。充電器１５は、携帯電話１を所定の状態にセットすると充電回路に接続された充電端子部が携帯電話１の端子部と電気的に接続して充電を実行するようになっている。また、携帯電話１は、充電器１５との接続中は電池から内部回路への給電を行わず、充電器１５から内部回路に電力を供給する。
【００１９】
ビデオレコーダ２は、金属材料によって形成される本体部２０と、ＤＶＤ（Digital Versatile Disk）等の記憶メディアを本体部２０に挿入するメディア挿入部２１と、本体部２０の前面に設けられて各部の調整を行うための操作部２２と、本体部２０の前面に設けられてビデオレコーダ２の動作状況を表示する表示部２３と、本体部２０に内蔵されて録画データ、携帯電話１から転送されたデータ等の種々のデータを記憶するＨＤＤ２０８とを有する。
【００２０】
ＴＶ３は、樹脂材料によって形成される本体部３０と、本体部３０の前面に設けられて各部の調整を行うための操作部３１と、液晶パネルによって形成されて画像、文字等の情報を表示する画像表示部３２とを有する。
【００２１】
（携帯電話１およびビデオレコーダ２の回路ブロック図）
図２は、携帯電話およびビデオレコーダの主要部を示す回路ブロック図である。携帯電話１は、ビデオレコーダ２へのデータ転送を実行させるとともに携帯電話１の各部を制御する主制御部１００と、無線通話に用いられる周波数帯の電波をアンテナ１１０を介して送受信する無線通信部１１１、および音声等のデータについて変調、復調等の信号処理を行う信号処理部１１２からなる通話部１０１と、アンテナ１０３を介してビデオレコーダ２との無線通信を行う無線通信部１０２と、動画、静止画等の画像を撮像する撮像部１０４と、ユーザの手操作に基づいて携帯電話１の各種機能を呼び出して操作する操作部１０５と、撮像部１０４で撮像された画像データ、又は無線通話回線を介して取得した画像データを記憶する画像記憶部１０６と、携帯電話１の動作に必要な種々のプログラム、データ、ユーザによって作成された電話帳データ等を記憶する記憶部１０７と、携帯電話１の各部に電力を供給する電源部１０８によって構成されており、電源部１０８は携帯電話１に電力を供給する充電式の電池（図示せず）を有している。
【００２２】
主制御部１００は、電源部１０８に充電器１５が接続されたことを検出すると、画像記憶部１０６に記憶されている画像データをバックアップデータとして無線通信部１０２を介してビデオレコーダ２に転送する。この主制御部１００、無線通信部１０２、画像記憶部１０６、および電源部１０８によって、バックアップデータの転送部を構成している。
【００２３】
また、主制御部１００は、図示しない時計回路を内蔵し、ビデオレコーダ２から転送されたスケジュールデータを無線通信部１０２を介して受信すると、スケジュールデータを記憶部１０７に格納するとともに携帯電話１からビデオレコーダ２に転送するバックアップデータの送信開始時刻を設定して時計回路のタイマを起動する。
【００２４】
ビデオレコーダ２は、携帯電話１へのスケジュールデータ転送を実行させるとともにビデオレコーダ２の各部を制御する制御部２００と、放送電波を介して受信した放送番組の録画再生処理を実行する録画再生処理部２０１と、アンテナ２０３を介して放送電波を受信するチューナ部２０２と、アンテナ２０５を介して携帯電話１との無線通信を行う無線通信部２０４と、携帯電話１から転送されるバックアップデータの転送スケジュールを設定するスケジュール設定部２０６と、ビデオレコーダ２の動作に必要な種々のプログラム、データを記憶する記憶部２０７と、放送番組の録画データおよび携帯電話１から転送されるバックアップデータを記憶するＨＤＤ２０８とを有する。
【００２５】
制御部２００は、録画予約、録画再生処理部２０１の動作処理状況、ＨＤＤ２０８の記憶容量に基づいて携帯電話１から転送されるバックアップデータの記憶動作実行が可能か否かを判断し、実行不可又は中断する恐れがあると判断したときはバックアップデータを受信せずにスケジュール設定部２０６に転送スケジュールの設定を指示する。
【００２６】
無線通信部２０４は、２．４ＧＨｚ帯の無線電波を使用して携帯電話１の無線通信部１０２と通信を確立し、携帯電話１から転送されるバックアップデータを受信する。また、ビデオレコーダ２でバックアップデータの受信ができない場合にはスケジュール設定部２０６で設定された転送スケジュールを携帯電話１に送信する。
【００２７】
スケジュール設定部２０６は、制御部２００から転送スケジュールの設定を指示されると、ビデオレコーダ２に設定されている録画予約が完了する時刻等からバックアップデータの転送が可能となる時刻を確定し、確定した時刻に基づく転送スケジュールを設定する。この転送スケジュールは、例えば、携帯電話１に転送開始時刻を通知するものや、現時刻から何分後に転送開始というように時間を通知するものであっても良いが、時計機能に誤差が存在することを考慮すれば後者の時間を通知することが好ましい。
【００２８】
以下に、本発明の実施の形態の動作について説明する。
【００２９】
（携帯電話１からバックアップデータを転送する動作）
図３は、携帯電話が充電器に接続されたことに基づいてビデオレコーダにバックアップデータを転送する動作を示す図であり、（ａ）は携帯電話の充電器への接続過程、（ｂ）はビデオレコーダへの転送過程である。携帯電話１を図３（ａ）に示すように充電器１５にセットすると、携帯電話１に内蔵された電池に対する充電が開始される。
【００３０】
次に、携帯電話１は図３（ｂ）に示すようにビデオレコーダ２に対して画像記憶部（図示せず）に記憶されている画像データのコピーをバックアップデータとして無線で転送する。携帯電話１の画像記憶部（図示せず）にはマスターの画像データが残った状態となる。なお、携帯電話１に記憶されているすべての画像データがビデオレコーダ２のＨＤＤ２０８に記憶された場合には携帯電話１の画像記憶部からマズターの画像データを消去するようにしても良い。
【００３１】
（ビデオレコーダ２がバックアップデータの転送を拒否する動作）
図４は、ビデオレコーダが携帯電話の接続要求を拒否する動作を示す図であり、（ａ）はビデオレコーダの接続要求過程、（ｂ）はビデオレコーダからの通知過程である。携帯電話１が図４（ａ）に示すように画像記憶部に記憶している画像データを転送するためにビデオレコーダ２に対して接続要求を行ったところ、ビデオレコーダ２は直後に録画予約が設定されているので携帯電話１の接続を拒否する。
【００３２】
次に、ビデオレコーダ２は携帯電話１にバックアップデータを転送させる転送スケジュールを設定し、図４（ｂ）に示すように携帯電話１に対して無線で転送する。この転送スケジュールには録画予約が設定されている旨の拒否事由が付される。携帯電話１は、液晶表示部１１に拒否事由を表示するとともに転送スケジュールに基づいてタイマを設定する。
【００３３】
（バックアップデータ転送中にビデオレコーダ２が操作されたときの動作）
図５は、携帯電話からバックアップデータを転送中にビデオレコーダで中断事由（ユーザ操作）が生じたときの動作を示す図であり、（ａ）はビデオレコーダへの転送過程、（ｂ）は中断事由に対するビデオレコーダの応答過程である。携帯電話１から図５（ａ）に示すようにビデオレコーダ２に対してバックアップデータを無線で転送中に図示しないユーザがビデオレコーダ２の操作、例えば、ＨＤＤ２０８に格納されたデータへのアクセスを行おうとした場合、ビデオレコーダ２は、図５（ｂ）に示す点灯中のＴＶ３に「データ転送中」の表示画像３３を表示させる。なお、ＴＶ３の画像表示部３２に表示画像３３を表示させる代わりに、類似する表示をビデオレコーダ２の表示部２３に表示させるようにしても良い。
【００３４】
次に、ビデオレコーダ２は、バックアップデータの転送を監視して中断可能なタイミングとなったところで転送中のバックアップデータに対する記憶動作を中断し、携帯電話１に切断事由を通知して通信の切断処理を行う。この切断事由が継続する時間、又は切断事由が解消する時刻が明確であるとき、ビデオレコーダ２は携帯電話１にバックアップデータを転送させる転送スケジュールを設定し、携帯電話１に対して無線で転送する。携帯電話１は、液晶表示部１１に中断事由を表示するとともに転送スケジュールに基づいてタイマを設定する。
【００３５】
（ビデオレコーダ２の都合でバックアップデータ転送を中断するときの動作）
図６は、携帯電話からバックアップデータを転送中にビデオレコーダで中断事由（ＨＤＤ２０８の記憶領域不足）が生じたときの動作を示す図であり、（ａ）はビデオレコーダへの転送過程、（ｂ）は中断事由に対するビデオレコーダの応答過程である。携帯電話１から図６（ａ）に示すようにビデオレコーダ２に対してバックアップデータを無線で転送中にＨＤＤ２０８の記憶容量が一定の値以下となるとビデオレコーダ２は容量不足による記憶不可を防ぐためにバックアップ動作の中断を決定する。
【００３６】
次に、ビデオレコーダ２は、バックアップデータの記憶動作を停止し、図６（ｂ）に示すように携帯電話１に切断事由を通知して通信の切断処理を行う。このようなビデオレコーダ２側の都合で切断事由が発生したときは、予めビデオレコーダ２で設定された転送スケジュールが切断事由とともに通知される。
【００３７】
携帯電話１は、液晶表示部１１に切断事由を表示するとともに転送スケジュールに基づいてタイマを設定する。
【００３８】
具体的には、５分後に携帯電話１からバックアップデータの転送リトライを実行させる転送スケジュールを通知する。ここで、再度転送ができない場合、ビデオレコーダ２は切断事由とともに前回のリトライからインターバルを大にした１０分後に転送リトライを実行させる転送スケジュールを通知する。また、転送リトライを所定の回数繰り返しても転送ができないときはバックアップを中止する。
【００３９】
図７は、本発明の実施の形態の動作に係るフローチャートである。以下に、送信元の携帯電話１から受信側のビデオレコーダ２へのバックアップデータの転送についての動作フローを説明する。
【００４０】
まず、ユーザが充電器１５に携帯電話１をセットすると（Ｓ１）、携帯電話１の電源部１０８と充電器１５の充電回路とが電気的に接続する。電源部１０８は、充電器１５との接続信号を主制御部１００に出力する。主制御部１００は、充電器１５から接続信号を入力すると無線通信部１０２にビデオレコーダ２に対する呼び出しを送信するように制御信号を出力する。無線通信部１０２は、制御信号を入力するとビデオレコーダ２に対する呼び出しをアンテナ１０３を介して送信する（Ｓ２）。
【００４１】
携帯電話１は、呼び出しに応答したビデオレコーダ２を接続対象として認識すると（Ｓ２：ＹＥＳ）、ビデオレコーダ２に対して接続可能か否かの接続要求を行う（Ｓ３）。ビデオレコーダ２は、携帯電話１との接続が可能であるときは通信リンクを確立し（Ｓ３：ＹＥＳ）、携帯電話１の画像記憶部１０６に記憶されている画像データをバックアップデータとして無線通信部１０２で変調して無線電波としてアンテナ１０３から送信する。
【００４２】
ビデオレコーダ２では、無線通信部２０４がアンテナ２０３を介してバックアップデータとしての無線電波を受信する（Ｓ４）。無線通信部２０４は、受信した無線電波を復調して画像データを抽出する。制御部２００は、バックアップデータの受信に基づく受信信号を無線通信部２０４から入力すると、ビデオレコーダ２に中断事由が発生していないことを確認して（Ｓ５）、ＨＤＤ２０８に画像データを記憶する。制御部２００は、転送されたすべての画像データをＨＤＤ２０８に格納し終えると転送完了となり、無線通信部２０４を待機状態にする（Ｓ６）。
【００４３】
また、Ｓ３におけるビデオレコーダ２に対して接続可能か否かの接続要求を行ったときに携帯電話１との接続が不可能であり（Ｓ３：ＮＯ）、かつ、ビデオレコーダ２から拒否事由が通知されたときは（Ｓ７）、主制御部１００は拒否事由に付されている転送スケジュールに基づいて電源部１０８の時計回路のタイマを設定し（Ｓ８）、その後タイマを起動する（Ｓ９）。タイマ時間が経過すると、Ｓ２で説明したビデオレコーダ２に対する呼び出しを行う。
【００４４】
また、Ｓ５において、バックアップデータ転送中にビデオレコーダ２に中断事由があるとき、ビデオレコーダ２は中断事由に応じた処理を行う（Ｓ５：ＮＯ）。中断事由がビデオレコーダ２に対するユーザの操作に基づくものであるとき（Ｓ１０）、ＴＶ３の画像表示部３２にバックアップデータの転送中である旨の表示画像３３を表示する（Ｓ１１）。
【００４５】
ユーザは、バックアップデータの転送再開を要するとき（Ｓ１２：ＹＥＳ）、ビデオレコーダ２を操作して転送再開するまでの時間を入力する。スケジュール設定部２０６はユーザの操作に基づいて転送スケジュールを設定する。ビデオレコーダ２の制御部２００はスケジュール設定部２０６で設定された転送スケジュールを携帯電話１に無線で転送し、その後にバックアップデータ転送の中断処理を行う（Ｓ１３）。
【００４６】
また、ユーザがバックアップデータの転送再開を要しないと判断したとき（Ｓ１２：ＮＯ）、ビデオレコーダ２は転送中のバックアップデータに係る転送スケジュールを設定せずに転送完了となり、無線通信部２０４を待機状態にする（Ｓ６）。
【００４７】
また、ビデオレコーダ２は、バックアップデータ転送中にＨＤＤ２０８の記憶領域不足等のユーザ操作によらない中断事由が生じたとき（Ｓ１０：ＮＯ）、バックアップデータとしての画像データのＨＤＤ２０８への記憶を強制的に停止するとともに、携帯電話１に切断事由を通知して通信の切断処理を行う（Ｓ１３）。
【００４８】
ビデオレコーダ２は、携帯電話１からバックアップデータとして転送された画像データのうち、記憶の途中でＨＤＤ２０８に正常に記憶されなかった画像データについてはＨＤＤ２０８から破棄する。なお、正常に記憶されなかった画像データについては、画像データ転送中断位置を示す識別データを作成して携帯電話１に転送する。携帯電話１は、バックアップデータの転送を再開するときには識別データに示される画像データから転送を再開する。
【００４９】
また、携帯電話１は、充電器１５にセットされた状態で接続対象の機器を検出できない場合（Ｓ２：ＮＯ）には、通常の充電処理を実行する。
【００５０】
（バックアップデータ転送の具体例）
図８は、携帯電話からビデオレコーダにバックアップデータを転送する場合のタイミングチャートである。ここでは、携帯電話１のカメラ部１３で撮影された静止画像データをバックアップデータとしてビデオレコーダ２に転送する具体例について説明する。
【００５１】
まず、ユーザが携帯電話１を充電器１５にセットする（Ｓ２０）。携帯電話１は充電器１５から供給される電力に基づいて無線通信部１０２の通信可能範囲に通信が可能な接続対象があるか否かをサーチする。ここで、携帯電話１は、通信可能範囲にビデオレコーダ２があることを認識する。
【００５２】
また、ビデオレコーダ２は、ユーザの操作に基づいて予め設定されていた録画予約に基づく放送番組の録画を開始し（Ｓ２１）、ＨＤＤ２０８に録画番組を順次記憶する。
【００５３】
次に、携帯電話１は、ビデオレコーダ２との通信プロトコルを確立し、ビデオレコーダ２に無線で接続要求を通知する（Ｓ２２）。
【００５４】
ビデオレコーダ２は、携帯電話１から送信された接続要求を受信した際、放送番組の録画が実行されてＨＤＤ２０８が稼動中であるので、携帯電話１の接続要求を拒否する（Ｓ２３）。ビデオレコーダ２は、放送番組の録画が終了する時刻からバックアップデータの転送が可能になる時刻を転送スケジュールとして設定し、拒否事由とともに転送スケジュールを携帯電話１に通知する（Ｓ２４）。
【００５５】
次に、携帯電話１は、ビデオレコーダ２から通知された転送スケジュールに基づいて時計回路のタイマを設定する（Ｓ２５）。
【００５６】
ビデオレコーダ２において放送番組の録画が終了し（Ｓ２６）、続いて携帯電話１においてタイマの設定時刻になると（Ｓ２７）、携帯電話１は、ビデオレコーダ２に無線で接続要求を通知する（Ｓ２８）。ビデオレコーダ２は、ＨＤＤ２０８が非稼動でありバックアップデータの記憶が可能であるので、携帯電話１の接続要求を許可し、許可通知を無線で通知する（Ｓ２９）。
【００５７】
次に、携帯電話１は、ビデオレコーダ２から無線で送信された許可通知に基づいて画像記憶部１０６に記憶されている静止画像データをバックアップデータとしてビデオレコーダ２に無線で転送する（Ｓ３０）。
【００５８】
ビデオレコーダ２は、携帯電話１から無線で送信されたバックアップデータとしての静止画像データを受信すると、ＨＤＤ２０８に記憶する（Ｓ３１）。
【００５９】
ビデオレコーダ２は、静止画像データを記憶している際に別の留守番録画の開始時刻が近くなると（Ｓ３２）、転送中断の必要性ありと判断して転送の中断処理を行う（Ｓ３３）。ビデオレコーダ２は、携帯電話１に切断事由を通知して通信の切断処理を行い、ＨＤＤ２０８への記憶を停止する。
【００６０】
携帯電話１は、ビデオレコーダ２から切断事由を受信すると、バックアップデータの転送を停止する（Ｓ３４）。また、切断事由として通知されたバックアップデータ転送の切断位置を記憶部１０７に記憶する（Ｓ３５）。携帯電話１は、バックアップデータの転送を再開するときは切断位置に係る静止画像データ以降の静止画像データをバックアップデータとしてビデオレコーダ２に転送する。
【００６１】
（実施の形態の効果）
上記した実施の形態によれば、以下の効果が得られる。
（１）送信元の携帯電話１からバックアップデータを転送しようとするとき、受信側のビデオレコーダ２で拒否又は切断事由があるときは転送が可能となる転送スケジュールを送信元の携帯電話１に通知するので、転送要求のスケジュールを知ることができ、携帯電話１は何度も転送要求を行う必要がない。また。ビデオレコーダ２はＨＤＤ２０８への記憶が可能なスケジュールでバックアップデータの転送が行われることにより、バックアップデータの転送を効率良く行うことができる。
【００６２】
（２）携帯電話１が充電器１５にセットされたことをトリガとして接続対象であるビデオレコーダ２との接続を確認し、接続可能な状態であるときにバックアップデータを転送するので、バックアップデータの転送に特別な操作を要することなくビデオレコーダ２にバックアップデータを転送することができる。
【００６３】
（３）ビデオレコーダ２でバックアップデータを受信できない事由が発生したときは携帯電話１に拒否又は切断事由として通知されるようにしたので、携帯電話１でバックアップデータを受信できない事由を把握することができる。
【００６４】
（４）バックアップデータの転送中にビデオレコーダ２でユーザが操作を行ったときにバックアップデータが転送中である旨の表示がなされるようにしたことで、バックアップデータの記憶が不用意に中断することを防ぐことができる。
【００６５】
（５）携帯電話１の充電開始をバックアップデータ転送に係る一連の処理のトリガとすることで、携帯電話１の電池を誤って消費して残量不足によりバックアップデータの転送ができなくなる事態を防ぐことができる。
【００６６】
なお、上記した実施の形態では、カメラ部１３を備えた携帯電話１のバックアップデータとして画像データを転送する例を説明したが、携帯電話１以外の通信端末に適用することも可能である。送信側の通信端末として、例えば、無線による通信機能を有するデジタルカメラ等の電子機器であっても良い。
【００６７】
また、受信側の通信端末についてもビデオレコーダ２以外の他の電子機器であっても良く、例えば、無線による通信機能を有するパーソナルコンピュータ、ネットワーク接続対応のＨＤＤ装置等の電子機器であっても良い。
【００６８】
また、携帯電話１とビデオレコーダ２との無線による通信についても種々の形態の適用が可能であり、例えば、Bluetooth（登録商標）、無線ＬＡＮ等の通信規格に基づく無線方式を適用することができる。
【００６９】
また、無線による通信に限定されず、携帯電話１からビデオレコーダ２にかけての全体又は一部をＵＳＢ（Universal Serial Bus）やイーサネット（登録商標）ケーブル等の有線で構築しても良い。
【００７０】
また、ビデオレコーダ２におけるバックアップデータの記憶をＨＤＤ２０８に対して行う構成についてもＨＤＤ２０８に限定されず、ＲＡＭ（Random Access Memory）等の半導体メモリであっても良い。また、ＤＶＤ等の着脱自在な記憶媒体に記憶するようにしても良い。
【００７１】
また、上記した実施の形態では、バックアップデータを受信して記憶する通信端末が１つである構成を説明したが、例えば、複数のビデオレコーダに対してバックアップデータの転送を行う構成としても良い。具体的には、携帯電話１と、第１のビデオレコーダと、第２のビデオレコーダとをBluetoothで通信可能な構成とし、第１のビデオレコーダでバックアップデータの記憶が不可であるとき、携帯電話１が第２のビデオレコーダに接続してバックアップデータを転送することにより記憶を行わせることができる。
【図面の簡単な説明】
【００７２】
【図１】本発明の実施の形態に係る通信端末を含む通信システムの全体図である。
【図２】携帯電話およびビデオレコーダの主要部を示す回路ブロック図である。
【図３】携帯電話が充電器に接続されたことに基づいてビデオレコーダにバックアップデータを転送する動作を示す図であり、（ａ）は携帯電話の充電器への接続過程、（ｂ）はビデオレコーダへの転送過程である。
【図４】ビデオレコーダが携帯電話の接続要求を拒否する動作を示す図であり、（ａ）はビデオレコーダの接続要求過程、（ｂ）はビデオレコーダからの通知過程である。
【図５】携帯電話からバックアップデータを転送中にビデオレコーダで中断事由（ユーザ操作）が生じたときの動作を示す図であり、（ａ）はビデオレコーダへの転送過程、（ｂ）は中断事由に対するビデオレコーダの応答過程である。
【図６】携帯電話からバックアップデータを転送中にビデオレコーダで中断事由（ＨＤＤ２０８の記憶領域不足）が生じたときの動作を示す図であり、（ａ）はビデオレコーダへの転送過程、（ｂ）は中断事由に対するビデオレコーダの応答過程である。
【図７】本発明の実施の形態の動作に係るフローチャートである。
【図８】携帯電話からビデオレコーダにバックアップデータを転送する場合のタイミングチャートである。
【符号の説明】
【００７３】
１、携帯電話  ２、ビデオレコーダ  １０、本体部  １１、液晶表示部
１２Ａ、キー  １２、キー操作部  １３、カメラ部  １４、アンテナ
１５、充電器  ２０、本体部  ２１、メディア挿入部  ２２、操作部
２３、表示部  ３０、本体部  ３１、操作部  ３２、画像表示部
３３、表示画像  １００、主制御部  １０１、通話部  １０２、無線通信部
１０３、アンテナ  １０４、撮像部  １０５、操作部  １０６、画像記憶部
１０７、記憶部  １０８、電源部  １１０、アンテナ  １１１、無線通信部
１１２、信号処理部  ２００、制御部  ２０１、録画再生処理部
２０２、チューナ部  ２０３、アンテナ  ２０４、無線通信部
２０５、アンテナ  ２０６、スケジュール設定部  ２０７、記憶部
【図１】
2005244657.tif 000003
【図２】
2005244657.tif 000004
【図３】
2005244657.tif 000005
【図４】
2005244657.tif 000006
【図５】
2005244657.tif 000007
【図６】
2005244657.tif 000008
【図７】
2005244657.tif 000009
【図８】
2005244657.tif 000010